(57)【要約】      （修正有）【課題】静電容量式タッチセンサ、該タッチセンサを含む物品及び支持層１上のタッチイベントを検出する方法を提供する。【解決手段】支持層１と、この支持層１に結合された複数の感知細長要素２とを備える静電容量式タッチセンサ１０であって、複数の感知細長要素２は、複数の電気抵抗細長要素２ｒを含んでおり、この複数の電気抵抗細長要素２ｒは、第１入力ポートＩＮｘに電気的に接続された第１の共通ノードＮｘに電気的に接続された電気抵抗細長要素２ｒの第１のセット２ｒｘを含んでいる。第１の共通ノードＮｘは、検出装置５の第１の入力ポートＩＮｘに電気的に接続される。検出装置５は、電気抵抗細長要素２ｒの第１のセット２ｒｘの静電容量値の関数である第１出力値を含む出力信号Ｓ＿ＯＵＴを出力する。【選択図】図１
2020077383.tif 000002
【特許請求の範囲】
【請求項１】
支持層（１）と、前記支持層（１）に結合された複数の感知細長要素（２）とを含む静電容量式タッチセンサ（１０）であって、
前記複数の感知細長要素（２）は、複数の電気抵抗細長要素（２ｒ）を含んでおり、
前記複数の電気抵抗細長要素（２ｒ）は、検出装置（５）の第１の入力ポート（ＩＮｘ）に電気的に接続されるように構成された第１の共通ノード（Ｎｘ）に電気的に接続された、電気抵抗細長要素（２ｒ）の第１のセット（２ｒｘ）を含んでおり、
前記検出装置（５）は、前記電気抵抗細長要素（２ｒ）の第１のセット（２ｒｘ）の静電容量値（ＣＲｘ）の関数である第１の出力値（ＯＵＴｘ）を含む出力信号（Ｓ＿ＯＵＴ）を出力するように構成されていることを特徴とする静電容量式タッチセンサ。
【請求項２】
請求項１に記載の静電容量式タッチセンサ（１０）であって、
前記第１の出力値（ＯＵＴｘ）は、前記電気抵抗細長要素（２ｒ）の第１のセット（２ｒｘ）の前記静電容量（ＣＲｘ）の直接的又は間接的な測定値であることを特徴とする静電容量式タッチセンサ。
【請求項３】
請求項１又は２に記載の静電容量式タッチセンサ（１０）であって、
前記複数の電気抵抗細長要素（２ｒ）は、感知領域（３）を規定し、
前記複数の感知細長要素（２）は、前記感知領域（３）内に少なくとも部分的に配置され、前記電気抵抗細長要素（２ｒ）から電気的に絶縁された少なくとも１つの導電性細長要素（２ｃ）を含み、
少なくとも１つの前記導電性細長要素（２ｃ）は、当該１つの導電性細長要素（２ｃ）の静電容量（Ｃｃ）を検知するために、検出装置（５）の基準入力ポート（ＩＮｃ）に電気的に接続さするように構成された基準共通ノード（Ｎｃ）に電気的に接続されていることを特徴とする静電容量式タッチセンサ。
【請求項４】
請求項３に記載の静電容量式タッチセンサ（１０）であって、
少なくとも１つの前記導電性細長要素（２ｃ）は、前記感知領域（３）と重なる領域を画定するように配置されていることを特徴とする静電容量式タッチセンサ。
【請求項５】
請求項３又は４のいずれかに記載の静電容量式タッチセンサ（１０）であって、
前記複数の感知細長要素（２）は、前記基準共通ノード（Ｎｃ）に電気的に接続された複数の前記導電性細長要素（２ｃ）を含んでおり、
前記各導電性細長要素（２ｃ）は、前記複数の感知細長要素（２）の対応する前記電気抵抗細長要素（２ｒ）に関連付けられ、
逆に、前記各電気抵抗細長要素（２ｒ）は、対応する前記導電性細長要素（２ｃ）に関連付けられていることを特徴とする静電容量式タッチセンサ。
【請求項６】
請求項３〜５のいずれか１項に記載の静電容量式タッチセンサ（１０）であって、
少なくとも１つの前記導電性細長要素（２ｃ）の単位長さ当たりの電気抵抗（Ｒｃ）は、前記電気抵抗細長要素（２ｒ）の単位長さ当たりの電気抵抗（Ｒｒ）よりも少なくとも２桁小さく、好ましくは、Ｒｒ／Ｒｃが１００〜１０００００の範囲にあることを特徴とする静電容量式タッチセンサ。
【請求項７】
請求項３〜６のいずれか１項に記載の静電容量式タッチセンサ（１０）であって、
前記出力信号（Ｓ＿ＯＵＴ）は、少なくとも１つの前記導電性細長要素（２ｃ）の静電容量（Ｃｃ）の直接的又は間接的な測定値である基準出力値（ＯＵＴｃ）を含むことを特徴とする静電容量式タッチセンサ。
【請求項８】
請求項３〜６のいずれか１項に記載の静電容量式タッチセンサ（１０）であって、
前記第１の出力値（ＯＵＴｘ）は、電気抵抗細長要素（２ｒ）の第１のセット（２ｒｘ）の静電容量（ＣＲｘ）の直接的又は間接的な測定値と、少なくとも１つの前記導電性細長要素（２ｃ）の静電容量（Ｃｃ）の直接的又は間接的な測定値との比率（ＣＲｘ／Ｃｃ）であることを特徴とする静電容量式タッチセンサ。
【請求項９】
請求項１〜８のいずれか１項に記載の静電容量式タッチセンサ（１０）であって、
前記複数の電気抵抗細長要素（２ｒ）は、前記電気抵抗細長要素（２ｒ）の第１のセット（２ｒｘ）から電気的に絶縁された、前記電気抵抗細長要素（２ｒ）の第２のセット（２ｒｙ）を含んでおり、かつ、前記検出装置（５）の第２の入力ポート（ＩＮｙ）に電気的に接続されるように構成された第２の共通ノード（Ｎｙ）に電気的に接続されており、
前記電気抵抗細長要素（２ｒ）の前記第１のセット（２ｒｘ）と前記第２のセット（２ｒｙ）が重なり合って前記電気抵抗細長要素（２ｒ）のグリッドを形成しており、
前記出力信号（Ｓ＿ＯＵＴ）は、前記電気抵抗細長要素（２ｒ）の前記第２のセット（２ｒｙ）の容量値（ＣＲｙ）の関数である第２の出力値（ＯＵＴｙ）を含むことを特徴とする静電容量式タッチセンサ。
【請求項１０】
請求項９に記載の静電容量式タッチセンサ（１０）であって、
前記第２の出力値（ＯＵＴｙ）は、前記電気抵抗細長要素（２ｒ）の前記第２のセット（２ｒｙ）の前記静電容量（ＣＲｙ）の直接的又は間接的な測定値であることを特徴とする静電容量式タッチセンサ。
【請求項１１】
請求項３に従属する請求項９に記載の静電容量式タッチセンサ（１０）であって、
前記第２の出力値（ＯＵＴｙ）は、前記電気抵抗細長要素（２ｒ）の前記第２のセット（２ｒｙ）の前記静電容量（ＣＲｙ）の直接的又は間接的な測定値と、少なくとも１つの前記導電性細長要素（２ｃ）の前記静電容量（Ｃｃ）の直接的又は間接的な測定値との比率（ＣＲｙ／Ｃｃ）であることを特徴とする静電容量式タッチセンサ。
【請求項１２】
請求項１〜１１のいずれか１項に記載の静電容量式タッチセンサ（１０）であって、
第１のセットの電気抵抗細長要素（２ｒｘ）は、第１の方向（Ｘ）に沿って互いに平行に配置されることを特徴とする静電容量式タッチセンサ。
【請求項１３】
請求項９に従属する請求項１２に記載の静電容量式タッチセンサ（１０）であって、
前記電気抵抗細長要素の前記第２のセット（２ｒｙ）は、前記第１の方向（Ｘ）に実質的に直交する第２の方向（Ｙ）に沿って互いに平行に配置されていることを特徴とする静電容量式タッチセンサ。
【請求項１４】
請求項１〜１３のいずれか１項に記載の静電容量式タッチセンサ（１０）であって、
前記検出装置（５）は、前記出力信号（Ｓ＿ＯＵＴ）を外部装置（６）に送信するように構成された通信モジュール（４）に接続されていることを特徴とする静電容量式タッチセンサ。
【請求項１５】
請求項１〜１４のいずれか１項に記載の静電容量式タッチセンサ（１０）であって、
前記支持層（１）は織物であることを特徴とする静電容量式タッチセンサ。
【請求項１６】
請求項１〜１５のいずれか１項に記載の静電容量式タッチセンサ（１０）であって、
前記電気抵抗細長要素（２ｒ）は電気抵抗糸であることを特徴とする静電容量式タッチセンサ。
【請求項１７】
請求項１〜１６のいずれか１項に記載の静電容量式タッチセンサ（１０）であって、
前記導電性細長要素（２ｃ）は導電性糸であることを特徴とする静電容量式タッチセンサ。
【請求項１８】
請求項１〜１７のいずれか１項に記載の静電容量式タッチセンサ（１０）であって、
前記支持層（１）は織布であり、前記複数の感知細長要素（２）は前記織布（１）の緯糸（７）及び／又は経糸（８）の少なくとも一部を形成していることを特徴とする静電容量式タッチセンサ。
【請求項１９】
請求項１〜１８のいずれか１項に記載の静電容量式タッチセンサ（１０）を含んだ物品であって、前記物品は、必要に応じて前記検出装置（５）を含むことを特徴とする物品。
【請求項２０】
支持層（１）上のタッチイベントを検出する方法であって、
（ａ）請求項１〜１８のいずれか１項に記載の静電容量式タッチセンサ（１０）を提供するステップ、
（ｂ）前記感知細長要素（２）の前記静電容量（ＣＲｘ、ＣＲｙ、Ｃｃ）を求めるステップ、及び
（ｃ）ステップ（ｂ）で求められた前記静電容量（ＣＲｘ、ＣＲｙ、Ｃｃ）の関数である１つ以上の出力値（ＯＵＴｘ、ＯＵＴｙ、ＯＵＴｃ）を含む出力信号（Ｓ＿ＯＵＴ）を出力するステップを含むことを特徴とする方法。
【請求項２１】
請求項２０に記載の方法であって、
さらに、前記出力信号（Ｓ＿ＯＵＴ）を外部装置（６）に送信するステップを含むことを特徴とする方法。
【請求項２２】
請求項２０又は２１に記載の方法であって、
前記支持層（１）は織物であり、前記感知細長要素（２）は感知糸であることを特徴とする方法。
【発明の詳細な説明】
【技術分野】
【０００１】
本発明は、静電容量センシングの分野に関する。特に、本発明は、例えば織物などの支持層上のタッチイベントを検出するのに適した、静電容量式タッチセンサに関する。
【背景技術】
【０００２】
織物に埋め込まれた静電容量式タッチセンサは、公知である。例えば、特許文献１には、互いに電気的に絶縁され、グリッドを形成するように配置された複数の導電性ワイヤを含む容量性タッチセンシングを実装した織物が開示されている。各導電性ワイヤは、各ワイヤの静電容量値を求めるように構成されたコントローラに接続されている。コントローラは、容量グリッドのそれぞれのワイヤの静電容量の変化を検出することにより、どの水平ワイヤとどの垂直ワイヤがタッチされたかを検出することにより、タッチイベントの位置を検出する。コントローラは、タッチされた交差ワイヤの交差点を使用して、静電容量グリッド上のタッチイベントの位置を決定する。これにより、タッチ位置は、静電容量グリッド上のＸ、Ｙ座標として決定される。
導電性ワイヤを緯糸及び経糸として使用することで、容量性グリッドを織物内に埋め込むことができる。ただし、容量性グリッドの各導電性ワイヤ（垂直及び水平ワイヤ）は、検知回路の対応する入力ポートに電気的に接続する必要がある。
【先行技術文献】
【特許文献】
【０００３】
【特許文献１】ＵＳ２０１６０４８２３５Ａ１
【発明の概要】
【発明が解決しようとする課題】
【０００４】
容量性グリッドに多数の導電性ワイヤがある場合（例えば、タッチセンサとして広い感知領域が必要な場合）、検知回路の入力ポートの数が多くなり、容量性グリッドと検知回路間の電気接続のルーティングが非常に複雑になる。
【０００５】
また、一方向のみに沿って平行に配置された導電性ワイヤを有するタッチセンサの場合（例えば、スワイプセンサの場合）には、導電性ワイヤの数が多くなり、タッチセンサの設計及び製造段階で電気接続のルーティングが複雑で高価になる。
【０００６】
本発明の１つの目的は、上記の先行技術の欠点を克服し、広い感知領域を有し電気接続のルーティングが簡単な、静電容量式タッチセンサを提供することにある。
本発明の他の目的は、静電容量式タッチセンサの感知領域のサイズに関係なく、タッチイベントの検出に必要な入力ポートの数を減らすことができる、タッチイベントを検出するための静電容量式タッチセンサ、及び関連する方法を提供することである。
【課題を解決するための手段】
【０００７】
これら及び他の目的は、独立請求項に記載の、容量性タッチセンサ、この容量性タッチセンサを含む物品、及び、タッチイベントを検出する方法に関する、発明により達成される。
本発明の好ましい態様は、各従属請求項に記載されている。
特に、本発明によれば、静電容量式タッチセンサは、支持層と、この支持層に結合された複数の感知細長要素とを備えている。
【０００８】
用語「細長要素」は、糸に似た形状を有する要素（すなわち、糸状要素）を意味する。細長要素の１つの例は糸である。
一般に、細長要素では、３つの次元のうちの２つの次元の大きさが、第３の次元の大きさよりもはるかに小さく、一般に無視できる。例えば、１つの細長要素は、長さに対して無視できる幅と厚さを有する、帯状の形状である。
好ましくは、細長要素は、３つの次元のうちの第３の次元（理想的には線）に対して、無視できる、３つの次元のうちの２つの次元を有する。例えば、細長要素は、直線経路に沿って配置された、ワイヤ、糸、フィラメント、又はトレース材料である。
細長要素においては、３つの次元のうちの１つ、すなわちその長さは、他の２つの次元の長さの少なくとも１０倍、好ましくは少なくとも２０倍、より好ましくは少なくとも５０倍である。
感知細長要素は、検出装置の第１の入力ポートに電気的に接続されるように構成された第１の共通ノードに電気的に接続される、電気抵抗細長要素の第１のセットを含んでいる。
【０００９】
検出装置は、電気抵抗細長要素の第１のセットの静電容量値の関数である第１の出力値を含む、出力信号を出力するように構成されている。
例えば、支持層は、その表面上に感知細長要素が結合され又はその中に一体化された、可撓性層（例えば、フィルム又は不織布）である。
他の実施形態では、支持層が、複合層の２つの層の間に挟まれた感知細長要素を有する、複合層であっても良い。
好ましい実施形態によれば、支持層は、織物（例：不織布、又は織り、編み、かぎ針編み、結び、タッティング、フェルト、又は編組によって作られた織物）でも良い。
【００１０】
本発明の一態様によれば、電気抵抗細長要素の単位長さ当たりの電気抵抗は、１０ｋΩ／ｍ〜１０ＭΩ／ｍ、好ましくは５０ｋΩ／ｍ〜５００ｋΩ／ｍの範囲に含まれる。
【００１１】
各電気抵抗細長要素は、物体がそれに触れると変化する静電容量値を有している（物体の寄生容量は、タッチされた電気抵抗細長要素に結合される）。
この電気抵抗細長要素の静電容量値の変化は、次の２つの主な様相の関数である。
電気抵抗細長要素とそれに接触する物体との間の、寄生容量結合、及び
読み取りポイント（電気抵抗細長要素が検出装置に電気的に接続されているポイント）に対する電気抵抗細長要素の長さに沿った、タッチイベントが発生した、場所。
【００１２】
基本的に、各電気抵抗細長要素は、タッチイベントの位置（物体の寄生容量が電気抵抗細長要素に付与される位置）に応じた抵抗値を持つ抵抗器と、これに直列に接続されたコンデンサの集中モデルで表すことができる。
【００１３】
この態様によれば、単一の共通ノードを使用して、タッチイベントを感知できる感知領域を定義するように配置された、複数の電気抵抗細長要素の静電容量を検出できる。
換言すれば、電気抵抗細長要素は、感知領域内でタッチイベントが発生したとき、（例えば、ユーザの物体又は指が感知領域に触れる等）、少なくとも電気抵抗細長要素が接触されるように配置されている。
特に、複数の電気抵抗細長要素を共通ノードに接続することにより、電気抵抗細長要素の静電容量値の合計に実質的に等しい又は比例する、等価静電容量が求められる。
電気抵抗細長要素の共通ノードで求められた静電容量値は、共通ノードの位置からのタッチイベントの位置を表示するものである。
【００１４】
幾つかの実施形態では、検出装置が、電気抵抗細長要素の第１のセットの静電容量の直接的又は間接的な測定値である、第１の出力値を含む出力信号を出力できるように構成されている。この実施形態によれば、容量性タッチセンサを、例えば、検出装置の単一の入力ポートによって、感知領域のサイズに関係なく、共通ノードに対して電気抵抗細長要素に沿ったタッチイベントのスワイプ方向を検出するための、スワイプセンサとして使用することができる。
【００１５】
幾つかの実施形態では、複数の感知細長要素が、電気抵抗細長要素から電気的に絶縁され、電気抵抗細長要素によって画定される感知領域内に少なくとも部分的に配置される、１つ以上の導電性細長要素を備えていても良い。この導電性細長要素は、検出装置の基準入力に電気的に接続されるように構成された、基準共通ノードに電気的に接続される。
【００１６】
本発明の一態様によれば、導電性細長要素の数及び配置は、電気抵抗細長要素によって画定される感知領域でタッチイベントが発生すると、少なくとも１つの導電性細長要素がタッチされるようにして、選択される。好ましくは、導電性細長要素は、電気抵抗細長要素によって画定された感知領域と重なる領域を画定するようにして配置される。より好ましくは、各導電性細長要素は、複数の感知細長要素の対応する電気抵抗細長要素に結合されており、逆もまた同様である。
【００１７】
本発明の一態様によれば、各導電性細長要素の単位長さ当たりの電気抵抗は、２００Ω／ｍ未満、好ましくは５０Ω／ｍ未満、より好ましくは約１０Ω／ｍ以下である。好ましくは、電気抵抗細長要素と導電性細長要素の単位長さ当たりの電気抵抗値の比率は、１００〜１００００００、より好ましくは１０００〜１０００００の範囲にある。例えば、単位長さ当たりの電気抵抗は、標準のＡＡＴＣＣ試験方法８４−２０１１又はＡＡＴＣＣ試験方法８４−２０１８に従って測定できる。
【００１８】
幾つかの実施形態では、検出装置によって提供される出力信号が、導電性細長要素の静電容量の直接的又は間接的な測定値である基準出力値を含んでいても良い。
【００１９】
本発明の一態様によれば、各導電性細長要素は、タッチイベントに応答した静電容量値の変化を生じ、この静電容量値の変化は、その長さに沿ってタッチイベントが発生した場所からは実質的に独立している。
【００２０】
本発明の一態様によれば、物体が導電性細長要素に触れると、静電容量値の変化は、導電性細長要素とそれに触れる物体との間の容量結合のみに実質的に依存する。この態様により、導電性細長要素の静電容量値を電気抵抗細長要素の静電容量値と共に使用すると、導電性細長要素とそれらに接触する物体との間の容量結合から実質的に独立した、感知領域上のタッチイベントの位置の表示ができる。
【００２１】
例えば、基準出力値を使用して、電気抵抗細長要素の第１のセットの静電容量の直接的又は間接的な測定値と、導電性細長要素の静電容量の直接的又は間接的な測定値の比率を計算できる。
【００２２】
幾つかの実施形態では、検出装置によって提供される出力信号の第１の出力値は、電気抵抗細長要素の第１のセットの静電容量の直接的又は間接的な測定値と、導電性細長要素の直接的又は間接的な測定値との、比率でも良い。
その結果、静電容量式タッチセンサは、検出装置の２つの入力ポートのみを使用して、抵抗性細長要素とそれらに接触する物体との間の容量結合とは独立して、電気抵抗細長要素とそれらに触れる物体との間の、共通ノードに対する電気抵抗細長要素に沿ったタッチイベントの位置を検出できる。
【００２３】
本発明の一態様によれば、複数の電気抵抗細長要素は、電気抵抗細長要素の第１のセットから電気的に絶縁され、検出装置の第２入力に電気接続されるように構成された第２の共通ノードに電気接続された電気抵抗細長要素の第２のセットを含んでいる。
特に、電気抵抗細長要素の第１のセットと第２のセットは重なり合って、電気抵抗細長要素のグリッドを形成する。この実施形態によれば、出力信号は、電気抵抗細長要素の第２のセットの容量値の関数である第２の出力値を含んでいる。
【００２４】
幾つかの実施形態では、第２の出力値が電気抵抗細長要素の第２のセットの静電容量の直接的又は間接的な測定値であっても良い。
幾つかの実施形態では、感知細長要素が１つ以上の導電性細長要素を含み、そして、第２の出力値は、電気抵抗細長要素の第２のセットの静電容量の直接的又は間接的な測定値と、導電性細長要素の静電容量の直接的又は間接的な測定値との比率である。
【００２５】
本発明の一態様によれば、電気抵抗細長要素の第１のセットは、第１の方向に沿って互いに平行に配置される。好ましくは、電気抵抗細長要素の第２のセットは、第１の方向に実質的に直交する第２の方向に沿って互いに平行に配置される。
本発明の幾つかの実施形態では、検出装置が、出力信号を外部装置に送信するように構成された通信モジュールに接続されても良い。
【００２６】
本発明の一態様によれば、感知細長要素は感知糸である。
幾つかの実施形態では、電気抵抗細長要素が電気抵抗性糸である。
幾つかの実施形態では、導電性細長要素が導電性糸である。
好ましくは、支持層は織物であり、より好ましくは織布である。
【００２７】
本発明の一態様によれば、支持層は織布であり、感知細長要素は、織布の緯糸及び／又は経糸の少なくとも一部を構成する。
【００２８】
本発明のさらなる対象は、本発明による静電容量式タッチセンサを含む物品である。この物品は、例えば衣服であっても良い。好ましくは、この物品は、感知糸の静電容量値を検出するための検出装置を含んでいる。
【００２９】
本発明のさらなる対象は、以下のステップを含む、支持層上のタッチイベントを検出する方法である。
（ａ）本発明の実施形態のいずれかによる容量性タッチセンサを提供する。
（ｂ）感知細長要素の静電容量を求める。
（ｃ）ステップ（ｂ）で求められた静電容量の関数である１つ以上の出力値を含む出力信号を出力する。
本発明の一態様によれば、支持層は織物であり、感知細長要素は検出糸である。
幾つかの実施形態では、本発明による方法が、出力信号を外部装置に送信するステップを含んでいても良い。
【図面の簡単な説明】
【００３０】
【図１】本発明による静電容量式タッチセンサの、一実施例を概略的に示す透視図である。
【図２】本発明による静電容量式タッチセンサの、他の実施例を概略的に示す透視図である。
【図３】本発明による静電容量性タッチセンサの、さらなる他の実施例を示す概略的に示す透視図である。
【図４】本発明による静電容量性タッチセンサの、さらなる他の実施例を示す概略的に示す透視図である。
【図５】本発明による静電容量性タッチセンサの、さらなる他の実施例を示す概略的に示す透視図である。
【発明を実施するための形態】
【００３１】
以下、添付の非限定的な図面を例とし参照し、本発明をより詳細に説明する。一般的な慣行通り、図面のさまざまな特徴は必ずしも縮尺どおりではない。むしろ、さまざまな機能の寸法は、それらをより明確にするために任意に拡大又は縮小されている。明細書及び図面の全体を通して、同じ数字は同字の特徴を示している。
【００３２】
図１〜図５は、各々、本発明による静電容量式タッチセンサ１０の具体的な実施形態を示している。
静電容量式タッチセンサ１０は、支持層１と、この支持層１に結合された複数の感知細長要素２とを備えている。
図１〜図５に示される本発明の例示的な実施形態によるタッチセンサ１０に関する以下の説明は、分かり易くするために、感知糸２について行うが、糸の代わりに一般的な細長要素を有するタッチセンサに適用できることは言うまでもない。
【実施例１】
【００３３】
図１において、感知糸２は、電気抵抗糸２ｒの第１のセット２ｒｘを含んでおり、この第１のセット２ｒｘは、検出装置５の第１の入力ポートＩＮｘに電気的に接続された１個の第１の共通ノードＮｘ（点線の長方形として示す）に接続されるように構成されている。この共通ノードは、理想的には抵抗がゼロの接続で構成することができる（例えば、この共通ノードを、導電性糸によって形成することができる）。
【００３４】
検出装置５は、電気抵抗糸２ｒの第１のセット２ｒｘの静電容量値ＣＲｘの関数である第１の出力値ＯＵＴｘを含む出力信号Ｓ＿ＯＵＴを出力するように構成されている。
好ましくは、電気抵抗糸２ｒは、単位長さＲｒ当たり、１０ｋΩ／ｍ〜１０ＭΩ／ｍ、より好ましくは５０ｋΩ／ｍ〜５００ｋΩ／ｍ、例えば、約２００ｋΩ／ｍの電気抵抗を有する。言い換えると、電気抵抗糸２ｒの断面及び電気抵抗率は、１ｍ当たり、１０ｋΩ〜１０ＭΩの間、より好ましくは５０ｋΩ〜５００ｋΩの間、例えば約２００ｋΩの電気抵抗を有する電気抵抗糸２ｒとなるように、選定される。例えば、電気抵抗糸２ｒは、１０−６Ωｍ〜１０３Ωｍ、より好ましくは１０−４Ωｍ〜１０−１ｍの電気抵抗率を有する。
【００３５】
電気抵抗糸２ｒは、好ましくは、導電性要素（例えば、導電性カーボン）で満たされたプラスチック糸（例えば、ナイロン）である。より好ましくは、電気抵抗糸２ｒは、その表面に導電性炭素が充満された８０デニールのナイロン６，６を含むことができる。
例えば、適切な電気抵抗糸２ｒは、商品名ＲＥＳＩＳＴＡＴ（登録商標）Ｆ９０１，ＭＥＲＧＥＲ０８０として入手可能な、表面に導電性炭素が充満された８０デニールのナイロン６，６モノフィラメントの電気抵抗糸でも良い。この特定の抵抗糸は、コーティング厚さが約１μｍの円形断面で、約８４デニールの線形質量密度を有している。この抵抗糸の電気抵抗は、１センチメートル当たり約０．８×１０５Ω（つまり、約８０ｋΩ／ｍ）である。
【００３６】
図１に示す実施例において、電気抵抗糸２ｒの第１のセット２ｒｘは互いに平行に配置された例を示しているが、他の実施形態として、電気抵抗糸の異なる配置も本発明の保護範囲内にある。例えば、幾つかの実施形態では、第１のセット２ｒｘの電気抵抗糸２ｒが、中心点に対して放射状に配置されても良い。
これらの実施形態は、各電気抵抗糸の中心点に面する端部が、１個の第１の共通ノードＮｘに電気的に接続されるか、又は各電気抵抗糸の中心点の反対端が第１の共通ノードＮｘに電気接続されることによって提供できる。
【００３７】
図１において、電気抵抗糸２ｒの第１のセット２ｒｘは、第１の方向Ｘに沿って互いに平行に配置されることが好ましい。この実施例では、容量性タッチセンサ１０として、一次元スワイプセンサ（すなわち、第１の方向Ｘに沿ったタッチイベントのスワイプ方向を検出できる容量性タッチセンサ）が実装されている。
【００３８】
この実施例によれば、出力信号の第１の出力値ＯＵＴｘは、電気抵抗糸２ｒの第１のセット２ｒｘの静電容量値ＣＲｘの直接的又は間接的な測定値である。
静電容量値ＣＲｘは、例えば、充電時間、又は発振器の発振周波数を測定することにより、又は当該技術分野で既知の他の測定技術によりのその値を求めることができる。
【００３９】
幾つかの実施形態では、検出装置５がフロントエンド回路５ａを備え、第１の入力ポートＩＮｘがフロントエンド回路５ａの入力となっている。例えば、フロントエンド回路５ａは、少なくとも１つの発振器（例えばコルピッツ発振器）を備えていても良い。
電気抵抗糸２ｒｘの第１の共通ノードＮｘは、タッチイベントがない場合に所定の発振周波数を有する機能を有する発振器に接続される。
【００４０】
電気抵抗糸２ｒの第１のセット２ｒｘの静電容量値ＣＲｘの変化は、発振器の発振周波数の変化として検出される。すなわち、発振器の発振周波数を求めることにより、電気抵抗糸２ｒｘの静電容量値ＣＲｘを求めることができる。
検出装置５は、フロントエンド回路５ａに接続され、発振器の発振周波数に基づいて電気抵抗糸２ｒの第１のセット２ｒｘの静電容量値ＣＲｘを計算するように構成された、マイクロコントローラ５ｂを備えているのが望ましい。
【００４１】
幾つかの実施形態では、検出装置５がフロントエンド回路５ａと、このフロントエンド回路５ａのフォワード端子にフォワード信号（例えば、ブール信号）を送信するマイクロコントローラ５ｂとを備えていても良い。
フロントエンド回路５ａは、フォワード信号に対して遅延のあるリターン信号を提供するリターン端末を含んでいる。フォワード信号とリターン信号の間の遅延は、電気抵抗糸２ｒｘの充電時間の関数であり、これは電気抵抗糸の静電容量値ＣＲｘの関数でもある。
【００４２】
上記したように、電気抵抗糸２ｒｘの静電容量値ＣＲｘの変化は、１つ又は複数の電気抵抗糸２ｒｘで発生したタッチイベントを示している。タッチイベントのタッチ領域のサイズが実質的に一定である（すなわち、タッチされた電気抵抗糸２ｒｘの数はタッチイベント中一定のままである）と仮定すると、第１の出力値ＯＵＴｘは、第１の方向に沿ったタッチイベントのスワイプ方向Ｘを示す。
【００４３】
特に、検出装置５は、所定の周期で更新された、電気抵抗糸２ｒｘの静電容量値ＣＲｘの測定値である第１の出力値ＯＵＴｘを含む、出力信号Ｓ＿ＯＵＴを提供するように構成されることが好ましい。この更新の周期は、出力値ＯＵＴｘを更新するために容量値ＣＲｘが再検知される、例えば数ミリ秒の周期である。
【００４４】
第１の出力値ＯＵＴｘが所定の閾値を超えると、タッチイベントが発生したことを意味する。特に、この第１の出力値が閾値よりも大きい限り、第１の出力値ＯＵＴｘの経時的な増加は、共通ノードＮｘに向かうスワイプ方向でタッチイベントが発生したことを意味する。
同様に、第１の出力値ＯＵＴｘの減少は、タッチイベントのスワイプ方向が反対方向に向かって、すなわち共通ノードＮｘから離れる方向に発生したことを意味する。
【００４５】
本発明による静電容量式タッチセンサ１０によれば、一次元スワイプセンサを実施するのに、単一の入力ポートＩＮｘのみが必要である。
検出装置５の入力ポートの数を増やすことなく、電気抵抗糸２ｒｘによって画定される感知領域３を増加させる（電気抵抗糸の数及び／又は長さを増加させる）ことができる。
【実施例２】
【００４６】
図２は、本発明による静電容量式タッチセンサ１０の、他の実施例を示す。図２に示した静電容量式タッチセンサ１０は、図１に示した実施例と同じ、電気抵抗糸２ｒの第１のセット２ｒｘを含んでいる。電気抵抗糸２ｒによって画定される感知領域３は、点線の長方形として象徴的に示されている。図２において、感知糸２は、さらに、感知領域３内に少なくとも部分的に配置され、電気抵抗糸２ｒから電気的に絶縁された複数の導電性糸２ｃを含んでいる。
【００４７】
導電性糸２ｃは、この導電性糸２ｃの静電容量値Ｃｃを検出するために検出装置５の基準入力ポートＩＮｃに電気的に接続された、１個の基準共通ノードＮｃに、電気的に接続されている。検出装置５は、好ましくは、電気抵抗糸２ｒの第１のセット２ｒｘの静電容量値ＣＲｘを求めるために、上述したのと同じ技術により、導電性糸２ｃの静電容量値Ｃｃを求めるように構成されている。
【００４８】
図２の実施例では、複数の導電性糸２ｃを有する静電容量式タッチセンサ１０を示しているが、さらなる実施形態では、感知糸２が感知領域３内に少なくとも部分的に配置され基準共通ノードＮｃに電気的に接続された１本の導電性糸２ｃのみを含んでいても良い。好ましくは、導電性糸２ｃは、電気抵抗性糸２ｒによって画定された感知領域３と重なる領域を画定するように配置される。例えば、単一の導電性糸２ｃを蛇状の経路に沿って配置し、この導電性糸によって画定される領域が、上記感知領域３と重なるようにすることができる。
【００４９】
一般に、感知糸２は、少なくとも１本の導電性糸２ｃを含むのが好ましい。特に、幾つかの実施形態では、導電性糸２ｃの数が、電気抵抗性糸２ｒの数とは異なっていても良い。
本発明の一態様によれば、導電性糸２ｃの数及び配置は、電気抵抗性糸２ｒによって画定された感知領域３でタッチイベントが発生すると、少なくとも１本の導電性糸２ｃがタッチされるように選択される。
【００５０】
図２では、各導電性糸２ｃが、対応する電気抵抗糸２ｒに関連付けられ、逆もまた同様である。言い換えれば、図２に示される実施例では、導電性糸２ｃの数が電気抵抗性糸２ｒの数に等しく、各電気抵抗性糸２ｒに対して１つの導電性糸２ｃが関連付けられている。
【００５１】
各導電性糸２ｃは、例えば、導電性糸２ｃの表面に設けられた電気絶縁コーティングによって、電気抵抗糸２ｒから電気的に絶縁されている。
導電性糸２ｃは、好ましくは絶縁された金属線、例えばマグネットワイヤである。「エナメル線」とも呼ばれるマグネットワイヤは、非常に薄い絶縁層でコーティングされた金属ワイヤ（銅製やアルミニウム製など）である。マグネットワイヤは市販されており、通常、トランス、インダクタ、モーター、スピーカー、ハードディスクヘッドのアクチュエータ、電磁石、及び、その他の絶縁ワイヤのタイトコイルを必要とするアプリケーションの構築に使用される。
【００５２】
導電性糸２ｃは、単位長さ当たりの電気抵抗Ｒｃが、好ましくは２００Ω／ｍ未満、より好ましくは５０Ω／ｍ未満、例えば約１０Ω／ｍである。言い換えれば、１メートルの導電性糸２ｃが、２００Ω未満、より好ましくは５０Ω未満、例えば約１０Ωの電気抵抗を有するように、導電性糸２ｃの断面及び電気抵抗率が選択される。
例えば、導電性糸２ｃは、１０−６Ωｍ未満、より好ましくは１０−７Ωｍ未満の電気抵抗率を有する材料で作られるのが良い（例えば、銀、銅、金、アルミニウム、白金、鉄は、導電性糸２ｃに適した材料である）。
【００５３】
本発明の一態様によれば、導電性糸２ｃの単位長さ当たりの電気抵抗は、電気抵抗性糸２ｒの単位長さ当たりの電気抵抗よりも少なくとも２桁小さい。好ましくは、電気抵抗糸２ｒと導電性糸２ｃの単位長さ当たりの電気抵抗値の比率Ｒｒ／Ｒｃは、１００〜１００００００、より好ましくは１０００〜１０００００の範囲にある。
【００５４】
図２に関して、幾つかの実施形態では、出力信号Ｓ＿ＯＵＴが、導電性糸２ｃの静電容量値Ｃｃの直接的又は間接的な測定値である基準出力値ＯＵＴｃを含んでいても良い。言い換えると、これらの実施形態では、出力信号Ｓ＿ＯＵＴが、２つの出力値（第１の出力値ＯＵＴｘ及び基準出力値ＯＵＴｃ）、すなわち、電気抵抗糸２ｒｘの静電容量値ＣＲｘ及び導電性糸２ｃの静電容量値Ｃｃを含んでいても良い。好ましくは、出力値ＯＵＴｘ及びＯＵＴｃを更新するために、容量値ＣＲｘ及びＣｃは、リフレッシュ周期（例えば、数ミリ秒）の所定のリズムで検知され更新された値である。
【００５５】
基準出力値ＯＵＴｃを使用して、電気抵抗糸２ｒの第１のセット２ｒｘの静電容量値ＣＲｘの直接的又は間接的な測定値と、導電性糸２ｃの静電容量値Ｃｃの直接的又は間接的な測定値との比率である、ＣＲｘ／Ｃｃを計算できる。
幾つかの実施形態では、検出装置５が、電気抵抗糸２ｒの第１のセット２ｒｘの静電容量値の直接的又は間接的な測定値と、導電性糸２ｃの静電容量値Ｃｃの直接的又は間接的な測定値との比率ＣＲｘ／Ｃｃを、（例えば、マイクロコントローラ５ｂによって）計算するように構成しても良い。これらの実施形態では、第１の出力値ＯＵＴｘは、比率ＣＲｘ／Ｃｃであることが好ましい場合がある。より好ましくは、検出装置５は、第１の出力値ＯＵＴｘのみを含む出力信号Ｓ＿ＯＵＴを提供するように構成しても良い。
【００５６】
これらの実施形態では、検出装置５は、電気抵抗糸２ｒの第１のセット２ｒｘの静電容量値ＣＲｘの測定値と、導電性糸２ｃの静電容量値Ｃｃの測定値との比率である、ＣＲｘ／Ｃｃ、すなわち第１の出力値ＯＵＴｘを含む、出力信号Ｓ＿ＯＵＴを提供するように構成されることが好ましい。好ましくは、出力値ＯＵＴｘを更新するために、リフレッシュ周期（例えば、数ミリ秒）を有する所定のリズムで容量値ＣＲｘ及びＣｃが検知、更新され、比率ＣＲｘ／Ｃｃが再計算される。
【００５７】
その結果、容量性タッチセンサ１０は、第１の共通ノードＮｘに対して、（スワイプ方向に加えて）、第１の方向Ｘに沿ったタッチイベントの位置を検出するのに使用できる。
上記したように、電気抵抗糸２ｒの第１のセット２ｒｘの静電容量値ＣＲｘの変化は、次の２つの主な様相の関数である：
電気抵抗糸２ｒｘとそれに接触する物体との間の、寄生容量結合、及び
共通ノードＮｘに対する電気抵抗糸の長さに沿った、タッチイベントが発生した、場所。
さらに、静電容量値Ｃｃの変化は、実質的に導電性糸とそれらに接触する物体との間の容量結合のみに依存する。つまり、Ｃｃの値の変化は、タッチイベントが発生した場所までの導電性糸２ｃの長さに実質的に依存しない。
【００５８】
その結果、物体が感知領域３に触れると、静電容量値及びＣｃの値の変化が生じる。比率ＣＲｘ／Ｃｃの値は、第１の方向Ｘに沿ったタッチイベントの位置を示すものであり、電気抵抗糸２ｒｘとそれらに接触する物体との間の容量結合に関しては依存性を無視できる。
言い換えれば、比率ＣＲｘ／Ｃｃの値は、電気抵抗糸とそれらに接触する物体との間の容量結合気がどれだけ強いかに関係なく、共通ノードＮｘから第１の方向Ｘに沿ったタッチイベントが生じた位置を示している。
【００５９】
したがって、感知領域３上でタッチイベントが発生すると、比率ＣＲｘ／Ｃｃは、所定の閾値を越え、下限値と上限値との間に含まれる規定範囲内の値になる。
このような下限値と上限値は、第１の方向Ｘに平行に配置された１次元空間内の２つの点と見なすことができる。例えば、低い値は１次元空間の原点と見なすことができる。
【００６０】
もし、比率ＣＲｘ／Ｃｃが上限値をとる場合、共通ノードＮｘに電気的に接続された電気抵抗糸２ｒｘの終端部で、タッチイベントが発生したことを意味する。
同様に、比率ＣＲｘ／Ｃｃの値が小さい場合は、電気抵抗糸２ｒｘの反対側の端でタッチイベントが発生したことを示している。
比率ＣＲｘ／Ｃｃの値は、どの電気抵抗糸２ｒｘがタッチされたかについての情報を与えることなく、第１のＸ方向に沿って感知領域３で発生したタッチイベントのスワイプ方向を取得するのに使用できる。言い換えれば、第１の方向Ｘに直交する第２の方向Ｙに沿ってタッチイベントがスワイプしても、比率ＣＲｘ／Ｃｃの値は変化しない。
幾つかの実施形態では、比率ＣＲｘ／Ｃｃの下限値と上限値との間に含まれる複数のサブ範囲を定義することにより、感知領域３内の異なる複数の領域を、タッチイベントのスワイプ方向の検出に使用することができる。
【実施例３】
【００６１】
図３は、本発明による容量性タッチセンサ１０のさらなる実施例を示すしている。図３に示す静電容量式タッチセンサ１０は、図１に示す実施例の電気抵抗糸２ｒと同じ第１のセット２ｒｘ、及び、電気抵抗糸２ｒの第１のセット２ｒｘから電気的に絶縁された電気抵抗糸２ｒの第２のセット２ｒｙを含んでいる。第２のセット２ｒｙの電気抵抗糸は、検出装置５の第２の入力ポートＩＮｙに電気的に接続されるように構成された、１個の第２の共通ノードＮｙに電気的に接続されている。
【００６２】
電気抵抗糸２ｒの第１のセット２ｒｘと第２のセット２ｒｙは重なり合って、電気抵抗糸２ｒのグリッドを形成している。第２のセット２ｒｙの電気抵抗糸は、好ましくは、第１の方向Ｘに実質的に直交する第２の方向Ｙに沿って互いに平行に配置されている。
検出装置５は、それぞれ、電気抵抗糸２ｒの第１のセット２ｒｘの静電容量値ＣＲｘ及び第２のセット２ｒｙの静電容量値ＣＲｙの関数である、第１の出力値ＯＵＴｘと第２の出力値ＯＵＴｙを含む、出力信号Ｓ＿ＯＵＴを提供するように構成されている。
検出装置５は、好ましくは、上記したのと同じ技術により、電気抵抗糸の第１のセット２ｒｘの静電容量値ＣＲｘ及び第２のセット２ｒｙの静電容量値ＣＲｙを求めるように構成されている。特に、出力値ＯＵＴｘ及びＯＵＴｙは、電気抵抗糸２ｒの第１のセット２ｒｘの静電容量値及び第２のセット２ｒｙの静電容量ＣＲｙの直接的又は間接的な測定値である。
【００６３】
この実施例では、静電容量式タッチセンサ１０が、二次元スワイプセンサ（すなわち、直交平面Ｘ−Ｙ上のタッチイベントのスワイプ方向を検出できる静電容量式タッチセンサ）を実装している。つまり、出力値ＯＵＴｘ及びＯＵＴｙは、タッチイベントのスワイプ方向を示すデ、カルト平面上のベクトルの成分と見なすことができる。
この実施例によれば、容量性タッチセンサ１０は、広い感知領域及び／又は多数の感知糸を有する場合でも、タッチイベントのスワイプ方向の検出のために、２つの入力ポートＩＮｘ、ＩＮｙのみを必要とする。
【実施例４】
【００６４】
図４に、本発明による容量性タッチセンサ１０のさらなる実施例を示す。図４に示した静電容量式タッチセンサ１０は、図３に示した実施例と同じ、電気抵抗糸２ｒの第１のセット２ｒｘ及び第２のセット２ｒｙを含んでいる。電気抵抗糸２ｒによって画定される感知領域３は、点線の長方形として象徴的に示している。
図４において、感知糸２は、さらに、感知領域３内に少なくとも部分的に配置され、電気抵抗糸２ｒから電気的に絶縁された、複数の導電性糸２ｃを含んでいる。
【００６５】
好ましくは、各導電性糸２ｃは、各々、対応する電気抵抗糸２ｒに関連付けられており、逆もまた同様である。言い換えれば、図４に示す実施例では、導電性糸２ｃの数が電気抵抗性糸２ｒの数に等しく、各電気抵抗性糸２ｒに対して導電性糸２ｃが関連付けられている。
しかし、上記したように、さらなる実施形態として、導電性糸２ｃが、図４に示す実施例とは異なる数及び／又は異なる配置を有する場合も、本発明の保護範囲内にある。
【００６６】
本発明の一態様によれば、導電性糸２ｃの数及び配置は、電気抵抗性糸２ｒによって画定される感知領域３内でタッチイベントが発生すると、少なくとも１本の導電性糸２ｃがタッチされるように選定される。言い換えれば、使用目的の対象物（例えば、ユーザの指、タッチペンの先端）によってタッチされる感知領域部分の平均サイズを知っている当業者は、対象物が感知領域３に触れると、少なくとも１本の電気抵抗糸と少なくとも１本の導電性糸（存在する場合）がタッチされるように、電気抵抗糸及び／又は導電性糸の数と配置を選択することができる。
【００６７】
好ましくは、図４に示す実施例において、感知領域３でタッチイベントが発生すると、第１のセット２ｒｘの少なくとも１本の電気抵抗糸２ｒ、第２のセット２ｒｙの少なくとも１本の電気抵抗糸２ｒ、及び、少なくとも１本の導電性糸２ｃがタッチされるように、感知糸２が配置されている。
【００６８】
図４において、導電性糸２ｃは、この導電性糸２ｃの静電容量値Ｃｃを検出するための検出装置５の基準入力ポートＩＮｃに電気的に接続されるように構成された、１個の基準共通ノードＮｃに電気的に接続されている。
電気抵抗糸２ｒｘは、電気抵抗糸２ｒの第１のセット２ｒｘの容量値ＣＲｘを求めるために検出装置５の第１の入力ポートＩＮｘに電気的に接続されるように構成された、第１の共通ノードＮｘに電気的に接続されている。電気抵抗糸２ｒｙは、電気抵抗糸２ｒの第２のセット２ｒｙの容量値ＣＲｙを検出するために検出装置５の第２の入力ポートＩＮｙに電気的に接続されるように構成された、第２の共通ノードＮｙに電気的に接続されている。
検出装置５は、好ましくは、上記したのと同じ手法により、電気抵抗糸２ｒの第１のセット２ｒｘの静電容量値ＣＲｘ及び第２のセット２ｒｙの静電容量値ＣＲｙ、及び導電性糸２ｃの静電容量値Ｃｃを検出するように構成されている。
【００６９】
幾つかの実施形態では、出力信号Ｓ＿ＯＵＴが、次の３つの出力値を含んでいる：
電気抵抗糸２ｒの第１のセット２ｒｘの静電容量値の直接的又は間接的な測定値である、第１の出力値ＯＵＴｘ、
電気抵抗糸２ｒの第２のセット２ｒｙの静電容量ＣＲｙの直接的又は間接的な測定値である、第２の出力値ＯＵＴｙ、及び、
導電性糸２ｃの静電容量Ｃｃの直接的又は間接的な測定値である、基準出力値ＯＵＴｃ。
【００７０】
幾つかの実施形態では、検出装置５が比率の値ＣＲｘ／Ｃｃ及びＣＲｙ／Ｃｃを（例えばマイクロコントローラ５ｂによって）計算するように構成しても良い。
特に、ＣＲｘ／Ｃｃは、電気抵抗糸２ｒの第１のセット２ｒｘの静電容量値の直接的又は間接的な測定値と、導電性糸２ｃの静電容量Ｃｃの直接的又は間接的な測定値との比率である。ＣＲｙ／Ｃｃは、電気抵抗糸２ｒの第２のセット２ｒｙの静電容量ＣＲｙの直接的又は間接的な測定値と、導電性糸２ｃの静電容量Ｃｃの直接的又は間接的な測定値との比率である。
【００７１】
これらの実施形態では、第１の出力値ＯＵＴｘ及び第２の出力値ＯＵＴｙは、それぞれ比率ＣＲｘ／Ｃｃ及び比率ＣＲｙ／Ｃｃであることが好ましい。より好ましくは、検出装置５は、第１の出力値ＯＵＴｘ及び第２の出力値ＯＵＴｙのみを含む出力信号Ｓ＿ＯＵＴを提供するように構成しても良い。
上記したように、比率ＣＲｘ／Ｃｃの値は、電気抵抗糸２ｒｘとそれらに接触する物体との間の容量結合の値は無視できる、第１の方向Ｘに沿ったタッチイベントの位置を示している。同様に、比率ＣＲｙ／Ｃｃは、電気抵抗糸２ｒｙとそれらに接触する物体との間の容量結合の値は無視できる、第２の方向Ｙに沿ったタッチイベントの位置を示している。
【００７２】
言い換えれば、比率ＣＲｘ／Ｃｃ及びＣＲｙ／Ｃｃの値は、電気抵抗糸２ｒｘ、２ｒｙとそれらに接触する物体との間の容量結合がどの程度強いかに関係なく、共通ノードＮｘ及びＮｙの位置に対する第１の方向Ｘ及び第２の方向Ｙに沿ったタッチイベントの位置を示している。比率ＣＲｘ／Ｃｃ及びＣＲｙ／Ｃｃの値は、第１の方向Ｘに平行な横座標及び第２の方向Ｙに平行な縦座標を有する、デカルト平面Ｘ−Ｙの座標と考えることができる。
したがって、感知領域３でタッチイベントが発生すると、比率の値ＣＲｘ／Ｃｃ及びＣＲｙ／Ｃｃは、対応する閾値を超えて、感知領域３上におけるタッチイベントの位置を示す２つの値をとる。特に、ＣＲｘ／Ｃｃは、第１の低い値と第１の高い値の間に含まれる範囲内の値を想定している。ＣＲｙ／Ｃｃは、第２の低い値と第２の高い値の間に含まれる範囲内の値を想定している。例えば、第１の低い値と２番目の低い値は、デカルト平面Ｘ−Ｙの原点と見なすことができる。
【００７３】
この実施形態によれば、容量性タッチセンサ１０は、広い感知領域３及び／又は多数の感知糸２が存在する場合にも、感知領域３のタッチイベントの位置を検出するために、３つの入力ポートＩＮｘ、ＩＮｙ及びＩＮｃのみを必要とする。
感知糸２（又は一般に、感知細長要素２）は、当技術分野でそれ自体知られている様々な結合技術によって、支持層１に結合することができる。
【００７４】
例えば、幾つかの実施形態では、感知細長要素２が電気抵抗材料のトレース（電気抵抗細長要素２ｒとして）を備え、及び／又は実質的に直線経路に沿って配置された導電材料のトレース（導電性細長要素２ｃとして）を備えている。
そのようなトレースは、例えば、（好ましくは活性炭、高表面積炭素、グラフェン、グラファイト、活性炭、カーボンナノチューブ、カーボンナノファイバー、活性炭繊維、グラファイト繊維、グラファイトナノファイバー、カーボンブラック及び混合物からなる群から選択される炭素質材料などの）導電性材料を含む、（微生物セルロース、微生物コラーゲン、セルロース／キチン共重合体、微生物絹、又はそれらの混合物などの）生体高分子を含むようにして生成されても良い。
１つの好ましい実施形態によれば、生体高分子は微生物セルロースである。例えば、導電性材料は、印刷（例えば、スクリーン印刷及び／又はデジタル印刷）によって、又は局所的な含浸によって、バイオポリマー（例えば、バイオポリマー層又はトレース）に提供されても良い。
【００７５】
１つの実施形態によれば、バイオポリマー産生微生物を含む培養物は、導電性材料を含んでいる。例えば、支持層を、生体高分子産生微生物及び導電性材料を含む培養物と接触させても良い。微生物を培養して、導電性材料を含むバイオポリマーを生成することができ、その結果、支持層には、導電性材料を含むバイオポリマー製の電気抵抗性材料のトレースが提供される。
【００７６】
生体高分子によって電気抵抗材料のパターン又はトレースを生成するための適切なプロセスは、本願の出願人の名義に係る欧州特許出願ＥＰ１８１９７３４８．８号、発明の名称：「電気伝導性を備えた繊維を提供するプロセス」に記載されている。その内容は、その全体が記載されているとおりに参照して本明細書に組み込まれる。
本発明の一態様によれば、支持体１層は織物であっても良い。感知糸２は、縫製、編み、製織、又は当技術分野で知られている他の任意の結合技術によって、織物１に結合されても良い。
【実施例５】
【００７７】
図５は、本発明による静電容量式タッチセンサ１０の好ましい実施例を示す。図５に示した実施例では、図４に示した実施例と同じ感知糸２、又は一般的に同じ感知細長要素２を有し、その支持層１は織布であり、これらの感知糸２は、織布１の緯糸７及び経糸８の少なくとも一部を構成している。
【００７８】
さらなる実施形態では、例えば図１及び図２に示されるような一次元スワイプセンサを実装する静電容量式タッチセンサ１０の場合、感知糸２が織布１の緯糸又は経糸の少なくとも一部を構成しても良く、これも、本発明の保護範囲内にある。一般に、感知糸２は、織布１の緯糸及び／又は経糸の少なくとも一部を構成することが好ましい。
【００７９】
好ましくは、感知糸２は、複合糸の検知コアとして、例えば非導電性糸によって形成されたシースを使用することができ、この非導電性糸は、例えば、長さＲｎの単位当たりの電気抵抗が１００ＭΩ／ｍよりも大きく、より好ましくは１ＧΩ／ｍよりも大きいものである。
本発明の一態様によれば、複合糸のシースは、非導電性材料製のステープルファイバーを含んでおり、この非導電性材料は、好ましくは１０３Ωｍよりも大きい、より好ましくは１０６Ωｍよりも大きい、電気抵抗率を有する。
感知糸２は、好ましくは、上記シースのステープルファイバーを有するコアスパンでも良い。幾つかの実施形態では、感知糸２が、その周りを上記シースのステープルファイバーで刺繍されるか、又は当該技術分野で既知の他の被覆プロセスによって覆われていても良い。このステープルファイバーは、好ましくは、綿、羊毛、絹などの天然繊維である。幾つかの実施形態では、複合糸のシースに、例えばインジゴ染料による染色を施しても良い。
【００８０】
幾つかの実施形態は、各導電性糸２ｃが対応する電気抵抗糸２ｒに結合されて複合糸を形成しても良く、逆もまた同様である。適切な複合糸として、本願の出願人の名義に係る欧州特許出願ＥＰ１８１７２６７６．１号、発明の名称：「電気伝導性を備えた繊維を提供するプロセス」に記載されているものが好ましい（特に、９〜１５頁）。その内容は、その全体が記載されているとおりに参照して本明細書に組み込まれる。
【００８１】
図５において、検出装置５は、出力信号Ｓ＿ＯＵＴを外部装置６に送信するように構成された通信モジュール４に接続されるのが好ましい。
本発明の静電容量式タッチセンサ１０は、外部装置６を制御するために、又は外部装置６へ制御コマンドを送信するために使用しても良い。好ましくは、通信モジュール４は、無線通信モジュール（例えば、ブルートゥース（登録商標）モジュール、ＷｉＦｉモジュール、赤外線モジュールなど）である。
静電容量式タッチセンサ１０は、ユーザが簡単かつ信頼できる方法で外部装置６を制御できるような感知領域を提供するために、物品の織物１に結合されても良い。
【００８２】
幾つかの実施例では、タッチセンサ１０は、衣服の着用者が外部装置６（スマートフォン、音楽プレーヤーなど）を容易に制御できるようにするために、衣服、好ましくはシャツ、ジャケット又はズボンの、織物１の感知領域（例えば、シャツの袖口、ジャケットの袖、又はズボンの脚など）に結合されても良い。
幾つかの実施形態では、タッチセンサ１０は、着座したユーザが外部装置（スマートテレビ、ステレオなど）６を容易に制御できるようにするために、座席家具（望ましくはソファ又はアームチェア）を裏打ちする織物１の感知領域（例：座席の家具の腕）に結合されても良い。
【００８３】
要約すると、支持層１のタッチイベントを検出する方法は、次の手順を含んでいる。
（ａ）上述の実施形態のいずれかによる静電容量式タッチセンサ１０を提供する。
（ｂ）感知細長要素２の静電容量値ＣＲｘ、ＣＲｙ、Ｃｃの１つ以上を求める。
（ｃ）上記ステップ（ｂ）で求められた静電容量値ＣＲｘ、ＣＲｙ、Ｃｃの関数である１つ以上の出力値ＯＵＴｘ、ＯＵＴｙ、ＯＵＴｃを含む出力信号Ｓ＿ＯＵＴを出力する。
好ましくは、この方法は、出力信号Ｓ＿ＯＵＴを、外部装置６に送信するステップも含んでいる。
【符号の説明】
【００８４】
１    支持層
２    感知糸（感知細長要素）
２ｃ    導電性糸（導電性細長要素）
２ｒ    電気抵抗糸（電気抵抗細長要素）
２ｒｘ    電気抵抗糸の第１のセット
２ｒｙ    電気抵抗糸の第２のセット
３    感知領域
４    通信モジュール
５    検出装置
５ａ    フロントエンド回路
５ｂ    マイクロコントローラ
６    外部装置
７    織布の緯糸
８    織布の経糸
１０    静電容量式タッチセンサ
Ｎｃ    基準共通ノード
Ｎｘ    第１の共通ノード
Ｎｙ    第２の共通ノード
ＩＮｃ    基準入力ポート
ＩＮｘ    第１の入力ポート
ＩＮｙ    第２の入力ポート
Ｓ＿ＯＵＴ    出力信号
【図１】
2020077383.tif 000003
【図２】
2020077383.tif 000004
【図３】
2020077383.tif 000005
【図４】
2020077383.tif 000006
【図５】
2020077383.tif 000007
【外国語明細書】
2020077383000001.pdf